(57)【要約】【課題】粒子検出装置における液滴残渣の堆積を抑制しながら粒子を検出する方法を提供する。【解決手段】所定の周期で一連の工程を実行する生産ライン８１、８２の近傍において、所定の周期における複数のタイミングのそれぞれで、インパクタ５０の捕集板を用いて、気体中に飛散している液滴を捕集することと、捕集板を検査し、複数のタイミングのうち、粒子検出装置１を稼働させるタイミングを特定することと、生産ライン８１、８２の近傍において、特定されたタイミングで粒子検出装置１を稼働させて、気体中に飛散している粒子を検出することと、を含む、粒子検出装置１における液滴残渣の堆積を抑制しながら粒子を検出する方法。【選択図】図１
2014137243.tif 000002
【特許請求の範囲】
【請求項１】
所定の周期で一連の工程を実行する生産ラインの近傍において、前記所定の周期における複数のタイミングのそれぞれで、インパクタの捕集板を用いて、気体中に飛散している液滴を捕集することと、
前記捕集板を検査し、前記複数のタイミングのうち、粒子検出装置を稼働させるタイミングを特定することと、
前記生産ラインの近傍において、前記特定されたタイミングで前記粒子検出装置を稼働させて、気体中に飛散している粒子を検出することと、
を含む、粒子検出装置における液滴残渣の堆積を抑制しながら粒子を検出する方法。
【請求項２】
前記タイミングを特定することにおいて、前記捕集板で捕集された液滴が最も少ないタイミングを特定する、請求項１に記載の方法。
【請求項３】
前記捕集板を検査することにより、前記液滴の残渣の堆積速度を予測することを更に含む、請求項１に記載の方法。
【請求項４】
前記タイミングを特定することにおいて、前記残渣の堆積速度が最も速いタイミング以外のタイミングを特定する、請求項３に記載の方法。
【請求項５】
複数の場所において、インパクタの捕集板を用いて、気体中に飛散している液滴を捕集することと、
前記捕集板を検査し、前記複数の場所のうち、粒子検出装置を稼働させる場所を特定することと、
前記特定された場所において、前記粒子検出装置を用いて、気体中に飛散している粒子を検出することと、
を含む、粒子検出装置における液滴残渣の堆積を抑制しながら粒子を検出する方法。
【請求項６】
前記場所を特定することにおいて、前記捕集板で捕集された液滴が最も少ない場所を特定する、請求項５に記載の方法。
【請求項７】
前記捕集板を検査することにより、前記液滴の残渣の堆積速度を予測することを更に含む、請求項５に記載の方法。
【請求項８】
前記場所を特定することにおいて、前記残渣の堆積速度が最も速い場所以外の場所を特定する、請求項７に記載の方法。
【請求項９】
前記捕集板を検査することの前に、前記液滴を乾燥させることを更に含む、請求項１ないし８のいずれか１項に記載の方法。
【請求項１０】
前記捕集板を検査することにおいて、前記捕集板上の前記液滴の残渣を検査する、請求項９に記載の方法。
【請求項１１】
前記捕集板を検査することにおいて、前記捕集板上の前記液滴の残渣の成分を検査する、請求項９に記載の方法。
【請求項１２】
前記捕集板を検査することにおいて、前記捕集板上の前記液滴の残渣の堆積を検査する、請求項９に記載の方法。
【請求項１３】
前記捕集板を検査することにおいて、前記捕集板上の前記液滴の粘性を検査する、請求項１ないし８のいずれか１項に記載の方法。
【請求項１４】
前記粒子検出装置が、前記気体中に飛散している粒子を濃縮させる粒子濃縮装置を備えており、前記濃縮された粒子を検出する、請求項１ないし１３のいずれか１項に記載の方法。
【請求項１５】
前記捕集板上で固体粒子が反発される、請求項１ないし１４のいずれか１項に記載の方法。
【請求項１６】
前記捕集板が無機物からなる、請求項１ないし１５のいずれか１項に記載の方法。
【請求項１７】
前記捕集板がシリコン基板である、請求項１ないし１６のいずれか１項に記載の方法。
【発明の詳細な説明】
【技術分野】
【０００１】
本発明は環境評価技術に関し、特に粒子検出装置における液滴残渣の堆積を抑制しながら粒子を検出する方法に関する。
【背景技術】
【０００２】
バイオクリーンルーム等のクリーンルームにおいては、粒子検出装置を用いて、飛散している微生物等の粒子が検出され、記録される（例えば、特許文献１及び非特許文献１参照。）。粒子の検出結果から、クリーンルームの空調機器の劣化具合を把握可能である。また、クリーンルームで製造された製品に、参考資料として、クリーンルーム内の粒子の検出記録が添付されることもある。光学式の粒子検出装置は、例えば、クリーンルーム中の気体を吸引し、吸引した気体に光を照射する。気体に粒子が含まれていると、粒子によって光が散乱されるため、気体に含まれる粒子の数や大きさ等を検出することが可能となる。
【先行技術文献】
【特許文献】
【０００３】
【特許文献１】特開２０１１−８３２１４号公報
【非特許文献】
【０００４】
【非特許文献１】長谷川倫男他，「気中微生物リアルタイム検出技術とその応用」，株式会社山武，azbil Technical Review 2009年12月号，p.2-7，2009年
【発明の概要】
【発明が解決しようとする課題】
【０００５】
しかし、粒子検出装置は、固形粒子と、液滴と、を判別することができない。そのため、粒子検出装置によって測定対象となる環境に粒子が飛散していることが確認されても、粒子が液滴であることを粒子検出装置によって確認することはできない。また、粒子検出装置に液滴の残渣が堆積すると、粒子検出装置の検出精度が低下する。さらに、粒子検出装置に堆積した液滴の残渣は、クリーンルームのコンタミの原因となる。そこで、本発明は、粒子検出装置における液滴残渣の堆積を抑制可能な方法を提供することを目的とする。
【課題を解決するための手段】
【０００６】
本発明の態様によれば、（ａ）所定の周期で一連の工程を実行する生産ラインの近傍において、所定の周期における複数のタイミングのそれぞれで、インパクタの捕集板を用いて、気体中に飛散している液滴を捕集することと、（ｂ）捕集板を検査し、複数のタイミングのうち、粒子検出装置を稼働させるタイミングを特定することと、（ｃ）生産ラインの近傍において、特定されたタイミングで粒子検出装置を稼働させて、気体中に飛散している粒子を検出することと、を含む、粒子検出装置における液滴残渣の堆積を抑制しながら粒子を検出する方法が提供される。
【０００７】
また、本発明の態様によれば、（ａ）複数の場所において、インパクタの捕集板を用いて、気体中に飛散している液滴を捕集することと、（ｂ）捕集板を検査し、複数の場所のうち、粒子検出装置を稼働させる場所を特定することと、（ｃ）特定された場所において、粒子検出装置を用いて、気体中に飛散している粒子を検出することと、を含む、粒子検出装置における液滴残渣の堆積を抑制しながら粒子を検出する方法が提供される。
【発明の効果】
【０００８】
本発明によれば、粒子検出装置における液滴残渣の堆積を抑制可能な方法を提供可能である。
【図面の簡単な説明】
【０００９】
【図１】本発明の第１の実施の形態に係る粒子検出装置が配置されるクリーンルームの模式図である。
【図２】本発明の第１の実施の形態に係るインパクタの模式図である。
【図３】本発明の第１及び第２の実施の形態に係る粒子検出装置が配置されるクリーンルームの模式図である。
【図４】本発明の第１及び第２の実施の形態に係る粒子検出装置が配置されるクリーンルームの模式図である。
【図５】本発明の第１の実施の形態に係る粒子検出装置の模式図である。
【図６】本発明の第１の実施の形態に係る光源素子の断面図である。
【図７】本発明の第１の実施の形態に係るインパクタ方式の粒子濃縮装置の模式図である。
【図８】本発明の第１の実施の形態に係るサイクロン方式の粒子濃縮装置の模式図である。
【発明を実施するための形態】
【００１０】
以下に本発明の実施の形態を説明する。以下の図面の記載において、同一又は類似の部分には同一又は類似の符号で表している。但し、図面は模式的なものである。したがって、具体的な寸法等は以下の説明を照らし合わせて判断するべきものである。また、図面相互間においても互いの寸法の関係や比率が異なる部分が含まれていることは勿論である。
【００１１】
（第１の実施の形態）
第１の実施の形態に係る、図１に示す粒子検出装置１における液滴残渣の堆積を抑制しながら粒子を検出する方法は、所定の周期で一連の工程を実行する生産ライン８１、８２の近傍において、所定の周期における複数のタイミングのそれぞれで、インパクタ５０の捕集板を用いて、気体中に飛散している液滴を捕集することと、インパクタ５０の捕集板を検査し、複数のタイミングのうち、粒子検出装置１を稼働させるタイミングを特定することと、生産ライン８１、８２の近傍において、特定されたタイミングで粒子検出装置１を稼働させて、気体中に飛散している粒子を検出することと、を含む。
【００１２】
生産ライン８１、８２は、例えば、クリーンルーム７０内に配置されている。クリーンルーム７０には、ダクト７１、並びにＨＥＰＡ（Ｈｉｇｈ  Ｅｆｆｉｃｉｅｎｃｙ  Ｐａｒｔｉｃｕｌａｔｅ  Ａｉｒ  Ｆｉｌｔｅｒ）及びＵＬＰＡ（Ｕｌｔｒａ  Ｌｏｗ  Ｐｅｎｅｔｒａｔｉｏｎ  Ａｉｒ  Ｆｉｌｔｅｒ）等の超高性能エアフィルタを有する噴き出し口７２を介して、清浄な空気が送り込まれる。
【００１３】
生産ライン８１、８２は、例えば精密機器、電子部品、又は半導体装置の生産ラインである。あるいは生産ライン８１、８２は、食品、飲料、又は医薬品の生産ラインである。例えば生産ライン８１、８２が食品、飲料、又は医薬品の生産ラインである場合、生産ライン８１、８２は、空の容器の搬送、空の溶液への液体の充填、液体を充填された容器の封止、及び液体を充填された容器の搬送という一連の工程を所定の周期で実行する。
【００１４】
生産ライン８１、８２は、通常、粒子等の物質をクリーンルーム７０内に飛散させないよう管理されている。しかし、生産ライン８１、８２は、何らかの事情で、クリーンルーム７０内に飛散する物質の発生源になる。ここで、粒子とは、微生物等を含む生体物質、化学物質、ごみ、ちり、及び埃等のダスト等を含む。微生物の例としては細菌が含まれる。細菌の例としては、グラム陰性菌、グラム陽性菌、及びカビ胞子を含む真菌が挙げられる。グラム陰性菌の例としては、大腸菌が挙げられる。グラム陽性菌の例としては、表皮ブドウ球菌、枯草菌芽胞、マイクロコッカス、及びコリネバクテリウムが挙げられる。カビ胞子を含む真菌の例としては、アスペルギルスが挙げられる。
【００１５】
インパクタ５０は、例えば生産ライン８１、８２の近傍に配置される。インパクタ５０は、図２に示すように、容器１５０を備える。容器１５０内部には空洞１５３が設けられており、空洞１５３には捕集板１５４が配置されている。容器１５０の入り口１５１から吸引された気体は、オリフィス１５２から空洞１５３内に噴射される。この際、所定の大きさの慣性を有する粒子は、捕集板１５４上で偏向される気流に追従できず、捕集板１５４に衝突する。これにより、所定の大きさの慣性を有する粒子が捕集板１５４で捕集される。所定の大きさの慣性を有しない粒子は、出口１５５から外部に放出される。
【００１６】
粒子の慣性は、オリフィス１５２の径及びオリフィス１５２から噴射される気流の速度に依存する。また、粒子の慣性は、粒子の質量に依存する。さらに、粒子の質量と、粒子の大きさは、一般的に相関する。したがって、オリフィス１５２の径及びオリフィス１５２から噴射される気流の速度を調整することにより、所定の質量及び大きさを有する粒子を選択的に捕集板１５４に衝突させ、捕集することが可能である。事前に図１に示すクリーンルーム７０内を浮遊する粒子の大きさが特定されている場合は、特定された粒子の大きさに合わせて、インパクタ５０のオリフィスの径及びオリフィスから噴射される気流の速度を調整してもよい。
【００１７】
インパクタ５０の捕集板は、例えば無機物からなり、シリコン基板である。これにより、捕集板上で固体粒子が反発され、粒子検出装置１において残渣の堆積が問題となる液滴のみが捕集される。また、シリコン基板の表面は疎水性であるため、捕集した液滴の保持及び乾燥が容易であるため、好適である。さらに、気体中を浮遊する液滴は有機物である場合が多いため、捕集板の材料を無機物とすることにより、液滴の残渣の元素分析が容易となる。またさらに、表面が鏡面仕上げされた半導体装置製造用のシリコン基板は、表面の平坦度が高く、例えば表面凹凸の大きさがオングストロームレベルである。そのため、表面が鏡面仕上げされたシリコン基板を用いることにより、非常に細かな液滴を捕集した場合も、顕微鏡等を用いて液滴を基板の表面凹凸から識別することが可能となる。またさらに、シリコン基板は半導体であるため、導電基板に通電状態で固定することにより、走査電子顕微鏡による観察が容易となる。
【００１８】
生産ライン８１、８２が、空の容器の搬送、空の溶液への液体の充填、液体を充填された容器の封止、及び液体を充填された容器の搬送という一連の工程を所定の周期で実行する場合、まず、空の容器の搬送というタイミングで、インパクタ５０の捕集板を用いて、気体中に飛散している液滴を捕集する。次に、インパクタ５０の捕集板を清浄な捕集板に交換し、空の溶液への液体の充填というタイミングで、気体中に飛散している液滴を捕集する。次に、インパクタ５０の捕集板を清浄な捕集板に交換し、液体を充填された容器の封止というタイミングで、気体中に飛散している液滴を捕集する。次に、インパクタ５０の捕集板を清浄な捕集板に交換し、液体を充填された容器の搬送というタイミングで、気体中に飛散している液滴を捕集する。
【００１９】
タイミング毎に液滴を捕集した捕集板は、様々な方法により検査可能である。例えば、捕集板は、光学顕微鏡、走査電子顕微鏡（ＳＥＭ）、電子線マイクロアナライザ（ＥＰＭＡ）、質量分析計（ＭＳ）、及び水晶振動子等で検査可能である。光学顕微鏡を用いることにより、捕集板上の乾燥前の液滴の数、大きさ、及び粘性等を確認することが可能である。例えば、液滴の粘性が低い場合、捕集板の中心から周囲に向かって広がるように、液滴が分散する傾向にある。また、細かい液滴と、凝集して大きくなった液滴とが、混在する傾向にある。液滴の粘性が高い場合、インパクタ５０が稼働中に捕集板上で液滴が移動しない傾向にあるため、凝集して大きくなった液滴がほとんど観察されない傾向にある。また、走査電子顕微鏡（ＳＥＭ）を用いることにより、捕集板上で乾燥した液滴の残渣の数、大きさ、堆積の厚み、及び結晶の形成の有無等を確認することが可能である。
【００２０】
さらに、特性Ｘ線検出器を有する走査電子顕微鏡、電子線マイクロアナライザあるいは質量分析計を用いることにより、捕集板上で乾燥した液滴の残渣の成分を特定することが可能である。例えば、液滴残渣のナトリウム成分、塩素成分、酸素成分、炭素成分、及びケイ素成分等のそれぞれの含有率を特定することが可能である。またさらに、水晶振動子を用いることにより、液滴の残渣の質量を高い精度で測定することが可能である。
【００２１】
以上説明した方法等によってインパクタ５０の捕集板を検査することにより、例えば、タイミング毎に、単位時間あたりに捕集した液滴の数、及び堆積した残渣の質量等を計測し、コンピュータシステムの記憶装置に記録することが可能となる。また、粒子検出装置１の内部に堆積する液滴の残渣の成分、及び堆積物の厚みの増加速度を予測し、これらも、コンピュータシステムの記憶装置に記録することが可能となる。次に、複数のタイミングのそれぞれで液滴を捕集した捕集板のうち、例えば、最も捕集した液滴が少ない捕集板を特定する。これにより、生産ライン８１、８２が一連の工程を実行する所定の周期における複数のタイミングのうち、捕集板で捕集される液滴が最も少ないタイミングを特定することが可能となる。あるいは、複数のタイミングのそれぞれで液滴を捕集した捕集板のうち、堆積物の厚みの増加速度が最も速い捕集板を特定する。これにより、生産ライン８１、８２が一連の工程を実行する所定の周期における複数のタイミングのうち、液滴の残渣の堆積物の厚みの増加速度が最も速いと予測されるタイミングを特定することが可能となる。
【００２２】
粒子検出装置１は、インパクタ５０と同様に、生産ライン８１、８２の近傍に配置されている。なお、図３に示すように、生産ライン８１、８２の近傍にインパクタ５０のみを配置し、インパクタ５０の捕集板で捕集された液滴が最も少ないタイミングを特定した後、図４に示すように、インパクタ５０を撤去し、粒子検出装置１を配置してよい。
【００２３】
粒子検出装置１は、例えば図５に示すように、光を発する光源素子５１と、光源素子５１が装着される台座５２と、光源素子５１から放射された光を平行光にする照射側平行光レンズ１１と、平行光を集光する照射側集光レンズ１２と、照射側集光レンズ１２で集光された光にクリーンルーム７０内から吸い込んだ気体の気流を横切らせる噴射機構５３と、を備える。噴射機構５３は、例えば気流の流速を変化させるためのエアバルブを備えていてもよい。
【００２４】
台座５２に装着された光源素子５１は、例えば図６に示すように、基板１０１と、基板１０１の表面に沿って設けられたアノード電極１０２と、カソード電極１０３と、基板１０１上に配置された発光ダイオード（ＬＥＤ）チップ１０４と、を備える。アノード電極１０２と、ＬＥＤチップ１０４と、は、ワイヤボンディング１０５で電気的に接続される。また、カソード電極１０３と、ＬＥＤチップ１０４と、は、ワイヤボンディング１０６で電気的に接続される。基板１０１上には、ＬＥＤチップ１０４を取り囲むように、リフレクタ１０７が配置される。また、ＬＥＤチップ１０４は、透明樹脂１０８で封止される。なお、光源素子５１としては、ＬＥＤ素子以外にも、半導体レーザー等が使用可能である。
【００２５】
光源素子５１が発する光は、可視光であっても、紫外光であってもよい。光が可視光である場合、光の波長は、例えば４００乃至５５０ｎｍの範囲内であり、例えば４０５ｎｍである。光が紫外光である場合、光の波長は、例えば３１０乃至３８０ｎｍの範囲内であり、例えば３５５ｎｍである。ただし、光源素子５１が発する光の波長は、検出対象の粒子の種類によって決定され、これらの数値に限定されない。図５に示す光源素子５１を保持する台座５２は、粒子検出装置１の筐体３１に固定されている。
【００２６】
噴射機構５３は、ファン等によって筐体３１の外部から気体を吸引し、ノズル等を介して、吸引した気体を照射側集光レンズ１２の焦点に向けて噴射する。照射側集光レンズ１２で集光された光の進行方向に対して、噴射機構５３から噴射される気流の進行方向は、例えば、略垂直に設定される。ここで、気流に粒子が含まれていると、粒子に当たった光がミー散乱により散乱し、散乱光が生じる。また、粒子が微生物である場合、光を照射された微生物に含まれるトリプトファン、ニコチンアミドアデニンジヌクレオチド、及びリボフラビン等が、蛍光を発する。
【００２７】
粒子検出装置１は、噴射機構５３が噴射した気流を横切った光を平行光にする検出側平行光レンズ１３と、検出側平行光レンズ１３で平行光にされた光を集光する検出側集光レンズ１４と、をさらに備える。気流に含まれる粒子によって散乱光が生じた場合、散乱光も、検出側平行光レンズによって平行光にされ、その後、検出側集光レンズ１４で集光される。
【００２８】
検出側集光レンズ１４の焦点には、粒子によって散乱した光を検出する散乱光検出部１６が配置されている。散乱光検出部１６としては、フォトダイオード及び光電子増倍管等が使用可能である。散乱光検出部１６が散乱光を検出した回数から、粒子の数を計測することが可能である。また、粒子による散乱光の強度は、粒子の粒径と相関する。したがって、散乱光検出部１６で散乱光の強度を検出することにより、粒子検出装置１が配置された環境を飛散する粒子の粒径を求めることが可能である。
【００２９】
粒子検出装置１の筐体３１内部には、例えば噴射機構５３から噴射される気流と平行に、凹面ミラーである集光ミラー１５がさらに配置されている。集光ミラー１５は、気流に含まれる微生物が発した蛍光を集光する。集光ミラー１５の焦点には、蛍光を検出する蛍光検出部１７が配置されている。散乱光検出部１６が散乱光を検出し、かつ蛍光検出部１７が蛍光を検出しなかった場合、気流に含まれる粒子が非生物粒子であることが分かる。散乱光検出部１６が散乱光を検出し、かつ蛍光検出部１７が蛍光を検出した場合、気流に含まれる粒子が微生物等の生物粒子であることが分かる。また、蛍光検出部１７が蛍光を検出した回数から、微生物の数を計測することが可能である。例えば、散乱光検出部１６及び蛍光検出部１７には、検出した光強度及び蛍光強度をリアルタイムに統計処理するコンピュータが接続される。
【００３０】
粒子検出装置１は、図１に示す生産ライン８１、８２が実行する一連の工程の所定の周期における複数のタイミングのうち、例えば、インパクタ５０の捕集板で捕集される液滴が最も少なかったタイミングのみ稼働する。例えば、生産ライン８１、８２が、空の容器の搬送、空の溶液への液体の充填、液体を充填された容器の封止、及び液体を充填された容器の搬送という一連の工程を実行し、インパクタ５０の捕集板で捕集される液滴が最も少ないタイミングが、空の容器の搬送工程であったとする。この場合、粒子検出装置１は、空の容器の搬送工程の間のみ、クリーンルーム７０内から空気を吸い込み、粒子の検出を実行する。これにより、粒子検出装置１の内部に液滴の残渣が堆積し、配管が閉塞することを抑制することが可能となる。
【００３１】
あるいは、粒子検出装置１は、図１に示す生産ライン８１、８２が実行する一連の工程の所定の周期における複数のタイミングのうち、例えば、液滴の残渣の堆積物の厚みの増加速度が最も速いと予測されたタイミング以外のタイミングで稼働する。これによっても、粒子検出装置１の内部に液滴の残渣が堆積し、配管が閉塞することを抑制することが可能となる。また、粒子検出装置１内部における堆積物の厚みの予測された増加速度に基づいて、適切な時期に粒子検出装置１の内部を清掃することも可能となる。
【００３２】
粒子検出装置１は、外部から吸引した気体における粒子の濃度を上昇させるための粒子濃縮装置を備えていてもよい。粒子濃縮装置としては、これらに限定されないが、米国特許出願公開第２００９／０２８８４７５号明細書に開示されているようなインパクタ方式と、サイクロン方式と、がある。インパクタ方式の粒子濃縮装置においては、図７に示すように、気体が流れる流路ボディ１６０の内径を入口１６１から段階的に狭くすることによって、気体の流速を上げて、加速された粒子が濃縮され、慣性力によって濃縮粒子出口１６２から排出される。粒子を含まない余計な気体は、排気口１６３から排出される。サイクロン方式の粒子濃縮装置においては、図８に示すように、円筒形の流路１７０内で吸引した気体中の粒子を遠心し、徐々に回転半径を狭めることによって、粒子の濃縮が行われる。粒子濃縮装置によって粒子を濃縮することにより、粒子検出装置１において効率的に粒子を検出することが可能となる。
【００３３】
（第２の実施の形態）
第２の実施の形態に係る、図４に示す粒子検出装置１における液滴残渣の堆積を抑制しながら粒子を検出する方法は、複数の場所において、図３に示すインパクタ５０の捕集板を用いて、気体中に飛散している液滴を捕集することと、捕集板を検査し、複数の場所のうち、粒子検出装置を稼働させる場所を特定することと、特定された場所において、図４に示す粒子検出装置１を用いて、気体中に飛散している粒子を検出することと、を含む。
【００３４】
図３に示すインパクタ５０は、例えば生産ライン８１、８２の近傍の複数の場所に配置される。次に、複数の場所のそれぞれで同時期に液滴を捕集した捕集板のうち、例えば、最も捕集した液滴が少ない捕集板を特定する。これにより、複数の場所のうち、捕集板で捕集される液滴が最も少ない場所を特定する。その後、特定された場所に図４に示す粒子検出装置１を配置し、気体中に飛散している粒子を検出する。これにより、粒子検出装置１の内部に液滴の残渣が堆積し、配管が閉塞することを抑制することが可能となる。
【００３５】
あるいは、複数の場所のそれぞれで液滴を捕集した捕集板のうち、堆積物の厚みの増加速度が最も速い捕集板を特定し、その後、複数の場所のうち、堆積物の厚みの増加速度が最も速いと予測される場所以外の場所に粒子検出装置１を配置し、気体中に飛散している粒子を検出してもよい。これによっても、粒子検出装置１の内部に液滴の残渣が堆積し、配管が閉塞することを抑制することが可能となる。第２の実施の形態に係る方法のその他の要件は、第１の実施の形態と同様であるので、説明は省略する。
【符号の説明】
【００３６】
１      粒子検出装置
１１    照射側平行光レンズ
１２    照射側集光レンズ
１３    検出側平行光レンズ
１４    検出側集光レンズ
１５    集光ミラー
１６    散乱光検出部
１７    蛍光検出部
３１    筐体
５０    インパクタ
５１    光源素子
５２    台座
５３    噴射機構
７０    クリーンルーム
７１    ダクト
７２    噴き出し口
８１、８２      生産ライン
１０１  基板
１０２  アノード電極
１０３  カソード電極
１０４  チップ
１０５  ワイヤボンディング
１０６  ワイヤボンディング
１０７  リフレクタ
１０８  透明樹脂
１５０  容器
１５１  入口
１５２  オリフィス
１５３  空洞
１５４  捕集板
１５５  出口
１６０  流路ボディ
１６１  入口
１６２  濃縮粒子出口
１６３  排気口
１７０  流路
【図１】
2014137243.tif 000003
【図２】
2014137243.tif 000004
【図３】
2014137243.tif 000005
【図４】
2014137243.tif 000006
【図５】
2014137243.tif 000007
【図６】
2014137243.tif 000008
【図７】
2014137243.tif 000009
【図８】
2014137243.tif 000010